(57)【要約】      （修正有）【課題】欠陥を生じにくい単結晶シリコン太陽電池を有する電子時計を提供する。【解決手段】電子時計１は、時計ケース３と、単結晶シリコンを含む半導体基板を有し、主面を有する太陽電池セル４３、および、太陽電池セル４３と電気的に接続され、主面を平面視したときに太陽電池セル４３の太陽電池セル外縁４３ｏと時計ケース側壁３ｂとの間に基板外縁４５ｏを有する基板４５を備え、時計ケース３の内部に設けられた太陽電池モジュール４１と、を備える。【選択図】図２
2020159706.tif 000002
【特許請求の範囲】
【請求項１】
ケースと、
単結晶シリコンを含む半導体基板を有し、主面を有する太陽電池セル、および、前記太陽電池セルと電気的に接続され、前記主面を平面視したときに前記太陽電池セルの太陽電池セル外縁と前記ケースの側壁との間に基板外縁を有する基板を備え、前記ケースの内部に設けられた太陽電池モジュールと、
を備えることを特徴とする電子時計。
【請求項２】
前記太陽電池セルは、太陽電池セル内縁を有し、
前記基板は、基板内縁を有し、
前記主面を平面視したときに、前記基板内縁は、前記ケースの側壁と前記太陽電池セル内縁との間に位置することを特徴とする請求項１に記載の電子時計。
【請求項３】
複数の前記太陽電池セルを有し、
隣り合う前記太陽電池セルは、間隙を有して配置されることを特徴とする請求項１または２に記載の電子時計。
【請求項４】
前記基板は、前記太陽電池セルに対向する面に黒色を呈した被覆層を備えることを特徴とする請求項３に記載の電子時計。
【請求項５】
複数の目盛を有する、文字板またはダイヤルリングと、
複数の前記太陽電池セルと、を備え、
複数の前記太陽電池セルは、前記ケースの３時位置と前記ケースの９時位置とを結ぶ軸について線対称に配置され、前記間隙は前記目盛と対応して配置されることを特徴とする請求項４に記載の電子時計。
【請求項６】
複数の前記太陽電池セルは、第１の太陽電池セルと、前記軸について前記第１の太陽電池セルと線対称である位置に配置された第２の太陽電池セルと、を含み、
前記第１の太陽電池セルと前記第２の太陽電池セルとは、電気的に直列に接続されていることを特徴とする請求項５に記載の電子時計。
【請求項７】
複数の前記太陽電池セルは、第３の太陽電池セルと、前記軸について前記第３の太陽電池セルと線対称である位置に配置された第４の太陽電池セルとを含み、
前記第３の太陽電池セルと前記第４の太陽電池セルとは、電気的に直列に接続されており、
前記第１の太陽電池セルと前記第３の太陽電池セルとは、電気的に並列に接続されていることを特徴とする請求項６に記載の電子時計。
【請求項８】
単結晶シリコンを含む半導体基板を有し、主面を有する太陽電池セル、および、前記太陽電池セルと電気的に接続され、前記主面を平面視したときに前記太陽電池セルの太陽電池セル外縁とケースの側壁との間に基板外縁を有する基板を備えることを特徴とする太陽電池モジュール。
【発明の詳細な説明】
【技術分野】
【０００１】
本発明は、電子時計、太陽電池モジュールに関する。
【背景技術】
【０００２】
特許文献１に記載の太陽電池セルは、発電効率の高い単結晶シリコンを備えている。
【先行技術文献】
【特許文献】
【０００３】
【特許文献１】特開２００５−１１８６９号公報
【発明の概要】
【発明が解決しようとする課題】
【０００４】
しかしながら、単結晶シリコンは＜１１１＞面にへき開性を有するため、衝撃を受けると割れる可能性がある。そのため、特許文献１の太陽電池セルを電子時計に搭載すると、衝撃を受ける角度によっては太陽電池セルが割れる可能性があり、単結晶シリコンを有する太陽電池セルを電子時計に搭載するのは困難であった。
【課題を解決するための手段】
【０００５】
本願の電子時計は、ケースと、単結晶シリコンを含む半導体基板を有し、主面を有する太陽電池セル、および、太陽電池セルと電気的に接続され、主面を平面視したときに太陽電池セルの太陽電池セル外縁とケースの側壁との間に基板外縁を有する基板を備え、ケースの内部に設けられた太陽電池モジュールと、を備えることを特徴とする。
【０００６】
上記に記載の電子時計において、太陽電池セルは、太陽電池セル内縁を有し、基板は、基板内縁を有し、主面を平面視したときに、基板内縁は、ケースの側壁と太陽電池セル内縁との間に位置することが好ましい。
【０００７】
上記に記載の電子時計は、複数の太陽電池セルを有し、隣り合う太陽電池セルは、間隙を有して配置されることが好ましい。
【０００８】
上記に記載の電子時計において、基板は、太陽電池セルに対向する面に黒色を呈した被覆層を備えることが好ましい。
【０００９】
上記に記載の電子時計は、複数の目盛を有する、文字板またはダイヤルリングと、複数の太陽電池セルと、を備え、複数の太陽電池セルは、ケースの３時位置とケースの９時位置とを結ぶ軸について線対称に配置され、間隙は目盛と対応して配置されることが好ましい。
【００１０】
上記に記載の電子時計において、複数の太陽電池セルは、第１の太陽電池セルと、軸について第１の太陽電池セルと線対称である位置に配置された第２の太陽電池セルと、を含み、第１の太陽電池セルと第２の太陽電池セルとは、電気的に直列に接続されていることが好ましい。
【００１１】
上記に記載の電子時計において、複数の太陽電池セルは、第３の太陽電池セルと、軸について第３の太陽電池セルと線対称である位置に配置された第４の太陽電池セルとを含み、第３の太陽電池セルと第４の太陽電池セルとは、電気的に直列に接続されており、第１の太陽電池セルと第３の太陽電池セルとは、電気的に並列に接続されていることが好ましい。
【００１２】
本願の太陽電池モジュールは、単結晶シリコンを含む半導体基板を有し、主面を有する太陽電池セル、および、太陽電池セルと電気的に接続され、主面を平面視したときに太陽電池セルの太陽電池セル外縁とケースの側壁との間に基板外縁を有する基板を備えることを特徴とする。
【図面の簡単な説明】
【００１３】
【図１】実施形態１に係る電子時計の平面図。
【図２】実施形態１に係る電子時計の断面図。
【図３】実施形態１に係る太陽電池モジュールの平面図。
【図４】実施形態１に係る太陽電池モジュールの断面図。
【図５】実施形態２に係る太陽電池モジュールの平面図。
【図６】実施形態３に係る太陽電池モジュールの平面図。
【図７】実施形態３に係る基板の平面図。
【図８】実施形態４に係る電子時計の平面図。
【図９】実施形態４に係る電子時計の断面図。
【図１０】実施形態４に係る太陽電池モジュールの平面図。
【図１１】実施形態５に係る太陽電池モジュールの平面図。
【図１２】変形例１に係るガラスの平面図。
【図１３】変形例１に係るガラスの断面図。
【図１４】変形例３に係る太陽電池モジュールの平面図。
【発明を実施するための形態】
【００１４】
以下、本発明の実施形態について、図面を参照して説明する。なお、以下の各図においては、各層や各部材を認識可能な程度の大きさにするため、各層や各部材の尺度が実際とは異なる場合もある。
【００１５】
１．実施形態１
１．１．電子時計
まず、本実施形態に係る電子時計について説明する。図１は、本実施形態に係る電子時計１の平面図を、図２は、本実施形態に係る電子時計１の断面図をそれぞれ示している。
【００１６】
電子時計１は、図１に示すように、ケースとしての時計ケース３、時計バンド５ａ及び５ｂ、ガラス７、ベゼル９、時刻表示装置１１、太陽電池モジュール４１を備える。太陽電池モジュール４１は、太陽電池セル４３、基板４５を備える。また、図２に示すように、電子時計１はさらに、照明１３、回路基板１５、回路押さえ１７、ＣＰＵ１９、回路素子２１、二次電池２３、タブ２５を備える。
【００１７】
時計ケース３は、時刻表示装置１１、照明１３、回路基板１５、回路押さえ１７、ＣＰＵ１９、回路素子２１、二次電池２３、太陽電池モジュール４１が配置されるケースであり、時計ケース３の開口を塞ぐようにガラス７が設けられ、時計ケース３の外側にベゼル９が設けられる。
【００１８】
時計ケース３は、時計ケース３の底壁を形成する時計ケース底壁３ａと、時計ケース３の側壁を形成する時計ケース側壁３ｂとを有する。本実施形態には、時計ケース底壁３ａと時計ケース側壁３ｂとが一体に形成された、いわゆるワンピースケースの構造を示しているが、時計ケース底壁３ａと時計ケース側壁３ｂとが別体に形成され、時計ケース底壁３ａがいわゆる裏蓋である構成をとってもよい。
【００１９】
時計バンド５ａ及び５ｂは、時計ケース３を間に挟んで配置されている。時計バンド５ａ及び５ｂは、図示しないバネ棒により時計ケース３に固定されている。また、時計ケース３が時計バンド引き通し用の棒部材を有する場合、時計バンド５ａ及び５ｂは、一体に形成され、時計ケース底壁３ａに沿って時計バンド５ａ及び５ｂを配置し、棒部材と時計ケース３の隙間から、一体化された時計バンド５ａ及び５ｂを引き通して配置することも可能である。時計ケース３、時計バンド５ａ及び５ｂ、ベゼル９は、金属やセラミック、樹脂、シリコンなどから適宜選択した材料で形成されている。
【００２０】
ガラス７は、透光性を有し、電子時計１のユーザーが、ガラス７を介して時刻表示装置１１を視認可能であるように形成されている。ユーザーが時刻表示装置１１を視認できれば良いので、ガラス７はガラスに限らず、透光性を有する樹脂を用いた透明部材であっても良い。
【００２１】
時刻表示装置１１は、電子時計１のユーザーに時刻を示す装置である。図１、図２においては、時刻表示装置１１として、電子ペーパーを採用した構成を例にしている。照明１３は、時刻表示装置１１に表示される情報を視認可能とするように光を照射する装置である。なお、時刻表示装置１１はこれに限定されず、液晶ディスプレイ（ＬＣＤ）や有機ＥＬディスプレイ（ＯＬＥＤ）などのデジタル表示装置を採用可能であり、また、指針と文字板とを用いて時刻表示を行なっても良い。図２においては、照明１３をフロントライトとして記載したが、これに限らない。採用するデジタル表示によって、照明１３は、バックライトとしたり、または省略したりすることも可能である。
【００２２】
回路基板１５は、各要素を電気的に接続する配線を含む基板である。回路基板１５は、回路押さえ１７により時計ケース３内に固定される。回路基板１５には、各要素の動作を制御する制御回路や駆動回路等を含むＣＰＵ１９や回路素子２１が電気的に接続されている。
【００２３】
太陽電池モジュール４１は、太陽電池セル４３と基板４５とを備える。基板４５は、太陽電池セル４３と電気的に接続されている。また、基板４５は、タブ２５を介して、回路基板１５と電気的に接続されている。回路基板１５は、二次電池２３と電気的に接続している。すなわち、太陽電池セル４３で発電して取り出した電力を、二次電池２３に蓄えることが可能となる構成をとっている。また、時刻表示装置１１は、二次電池２３に蓄えられた電力により駆動される。タブ２５には、基板４５と一体に形成されたもの、または、別体として形成されたものの、どちらを採用してもよい。
【００２４】
ここで、時計バンド５ｂから時計バンド５ａに向かう方向をＹ軸に沿って設置した場合、時計バンド５ｂから時計バンド５ａの方向を＋Ｙ方向とする。時計ケース３の時計ケース底壁３ａからガラス７に向かう方向をＹ軸に直交するＺ軸に沿って設置した場合、時計ケース底壁３ａからガラス７に向かう方向を＋Ｚ方向とする。Ｙ軸、Ｚ軸に直交するＸ軸について、＋Ｚ方向から電子時計１を平面視したときに＋Ｙ方向と直交する方向を＋Ｘ方向とし、＋Ｘ方向、＋Ｙ方向、＋Ｚ方向は、右ねじの法則に合致するよう設定されるものとする。また、電子時計１の外部に面するガラス７の主面をガラス主面７ａとすると、ガラス主面７ａの法線方向は、＋Ｚ軸と一致する。さらに、太陽電池セル４３の主面を太陽電池セル主面４３Ｓとすると、太陽電池セル主面４３Ｓの法線方向もまた、＋Ｚ軸と一致する。そして、電子時計１または太陽電池セル４３を平面視するとは、電子時計１または太陽電池セル４３を、＋Ｚ軸方向から見ることとする。よって、電子時計１を平面視することと、太陽電池セル４３を平面視することとは等しい。後述のように、太陽電池セル４３は、Ｚ軸に沿って、−Ｚ方向から＋Ｚ方向に向かって、基板４５の上に設けられており、太陽電池セル４３及び基板４５は、太陽電池モジュール４１を形成している。そのため、太陽電池セル４３を平面視することと、太陽電池モジュール４１を平面視することと、基板４５を平面視することとはそれぞれ等しい。
【００２５】
図２のように、−Ｚ方向から＋Ｚ方向に向かって、すなわち、時計ケース底壁３ａからガラス７の方向に向かって、時計ケース底壁３ａ、二次電池２３、回路基板１５、時刻表示装置１１、基板４５、太陽電池セル４３、ガラス７が順に配置されている。
【００２６】
太陽電池セル４３は、太陽電池セル内縁４３ｉを有し、基板４５は、基板内縁４５ｉを有する。電子時計１を平面視するとき、時刻表示装置１１の周囲に太陽電池モジュール４１が配置されている。これにより、時刻表示装置１１の上に太陽電池モジュール４１を配置しても、太陽電池セル内縁４３ｉ及び基板内縁４５ｉの内側に、電子時計１のユーザーが時刻表示装置１１を視認することが可能となる。
【００２７】
本実施形態では、時刻表示装置１１が円板形状であり、太陽電池モジュール４１を構成する太陽電池セル４３と基板４５、及びベゼル９が円環状である例を示しているがこれに限定されない。例えば、時刻表示装置１１が矩形状、太陽電池モジュール４１を構成する太陽電池セル４３と基板４５、及びベゼル９が矩形状の外縁と矩形状の内縁とを有する矩形環状であってもよい。
【００２８】
１．２．太陽電池モジュール
次に、本実施形態に係る太陽電池モジュール４１について説明する。図３は、本実施形態に係る太陽電池モジュール４１の平面図を、図４は、本実施形態に係る太陽電池モジュール４１の断面図をそれぞれ示している。
【００２９】
図３に示すように、太陽電池モジュール４１は、太陽電池セル４３と基板４５とを有する。太陽電池セル４３は、太陽電池セル４３の受光面により太陽光や室内光等の光を受けて、光エネルギーを電気エネルギーとする光電変換をし、後述する正電極４３ｐ、負電極４３ｎより電気を取り出すことで発電が可能となる。なお、前述の太陽電池セル主面４３Ｓは、太陽電池セル４３の受光面である。太陽電池セル４３は、単結晶シリコンを含む半導体基板を有して形成されている。単結晶シリコンを含む半導体基板を有する太陽電池セル４３は、アモルファスシリコンからなる半導体基板を有する太陽電池セルと比較して、発電効率が高い。
【００３０】
図３に示した太陽電池モジュール４１におけるＡ−Ａ´断面図を図４に示す。太陽電池セル４３は、正電極４３ｐ及び負電極４３ｎを備える。また、基板４５は、基材４５ｂ、被覆層４５Ｌ、正極配線４５ｐ、負極配線４５ｎを備える。基材４５ｂ上に正極配線４５ｐ及び負極配線４５ｎが形成され、正極配線４５ｐ及び負極配線４５ｎの一部が露出するように基材４５ｂ、正極配線４５ｐ、負極配線４５ｎを覆う被覆層４５Ｌが形成されている。正電極４３ｐと正極配線４５ｐと、及び負電極４３ｎと負極配線４５ｎとは、それぞれ、導電性を有する接着材３７により電気的に接続されている。すなわち、太陽電池セル４３と基板４５とは、電気的に接続されている。
【００３１】
基板４５は、太陽電池セル４３を支持するように設けられる。言い換えると、−Ｚ方向から＋Ｚ方向に向かって、基板４５、太陽電池セル４３の順に設けられる。単結晶シリコンを有する半導体基板は、＜１１１＞面にへき開性を有するため、衝撃を受けると割れる可能性がある。しかし、基板４５が太陽電池セル４３を支持することで、太陽電池セル４３が衝撃により割れたり、欠陥を生じたりすることを防止することができる。
【００３２】
基材４５ｂは、ガラスエポキシ基板、またはＡｌ2Ｏ3等の多結晶セラミック基板を採用可能である。ガラスエポキシ基板、またはＡｌ2Ｏ3等の多結晶セラミック基板の剛性は大きいので、基板４５の撓みを抑制でき、太陽電池セル４３に衝撃が加えられることを防止でき、太陽電池セル４３に欠陥が生じることを防止することができる。これに限らず、基材４５ｂには、ポリイミドを含んで形成されたフレキシブル基板を採用してもよい。後述するように太陽電池セル４３が複数に分割されている場合に、隣り合う太陽電池セル間で基板４５が撓むことが可能となり、太陽電池セル４３に直接衝撃が加えられることを防止し、太陽電池セル４３に欠陥が生じることを防止することができる。
【００３３】
被覆層４５Ｌは、樹脂により形成された層であり、基材４５ｂの太陽電池セル４３に対向する面に形成される。これにより、太陽電池セル４３と基板４５との予期せぬ電気的接続を防止している。
被覆層４５Ｌは、黒色を呈することが好ましい。基板外縁４５ｏは、太陽電池セル外縁４３ｏより外側に位置するため、電子時計１を平面視したときに、基板外縁４５ｏが視認される可能性がある。基板４５が黒色の被覆層４５Ｌを有することにより、太陽電池セル４３と基板４５との色の識別がされにくくなり、基板４５が目立つことを防止することが可能となる。
【００３４】
図４に示すように、太陽電池モジュール４１は、太陽電池セル４３の正電極４３ｐと基板４５の正極配線４５ｐとが導電性を有する接着材３７により電気的に接続されている。また、太陽電池セル４３の負電極４３ｎと基板４５の負極配線４５ｎとが導電性を有する接着材３７により電気的に接続されている。接着材３７は、例えば、銀ペーストやはんだを採用可能である。
【００３５】
図３に戻って説明する。太陽電池セル４３は、太陽電池セル外縁４３ｏを有し、基板４５は、基板外縁４５ｏを有する。基板外縁４５ｏは、太陽電池セル外縁４３ｏより外側に位置することが好ましい。図２のように、基板外縁４５ｏは、時計ケース側壁３ｂに接触して設けられるので、太陽電池モジュール４１を搭載した電子時計１を平面視したときに、基板外縁４５ｏは、時計ケース側壁３ｂと太陽電池セル外縁４３ｏとの間に位置するように設けられる。単結晶シリコンは、＜１１１＞面にへき開性を有するため、衝撃を受けると割れる可能性がある。すなわち、単結晶シリコンを含む半導体基板を有して形成された太陽電池セル４３は、他部材との接触により割れや欠陥を生じる可能性がある。これに対し、本実施形態の太陽電池モジュール４１は、基板外縁４５ｏが時計ケース側壁３ｂと太陽電池セル外縁４３ｏとの間に位置するように設けられている。そのため、太陽電池セル４３が時計ケース３に接触することが防止され、太陽電池セル４３が欠陥を生じる可能性の少ない電子時計１を得ることが可能となる。例えば、電子時計１の製造工程において、時計ケース３に太陽電池モジュール４１を組み込む際に、太陽電池セル４３が時計ケース３に接触することを防止することが可能となる。さらに、電子時計１が落下したり壁へ衝突したりすることにより時計ケース３が変形したとしても、太陽電池セル４３が時計ケース３に接触することを防止することもできる。
【００３６】
太陽電池モジュール４１は、図２に示すように、時刻表示装置１１の外縁を覆って配置されることが好ましい。これにより、例えば、時刻表示装置１１がＬＣＤである場合、太陽電池モジュール４１をいわゆる見切り板として用いることにより、見切り板を別部材として配置する工程を省略可能となり、コスト削減が可能となる。
【００３７】
また、図２及び図３に示すように、太陽電池モジュール４１は、太陽電池モジュール４１を搭載した電子時計１を平面視したときに、基板内縁４５ｉが時計ケース側壁３ｂと太陽電池セル内縁４３ｉとの間に位置するように構成される。これにより、電子時計１を平面視したときに基板４５が視認され難くなる。
【００３８】
２．実施形態２
実施形態２について説明する。なお、実施形態１との相違点を主に説明し、実施形態１と実施形態２との説明が同一である場合は、ここでの説明は省略することもある。なお、Ｘ軸、Ｙ軸、Ｚ軸、＋Ｘ方向、−Ｘ方向、＋Ｙ方向、−Ｙ方向、＋Ｚ方向、−Ｚ方向、平面視、Ｘ−Ｚ平面の定義については、実施形態１と同様とし、本実施形態での説明は省略する。
【００３９】
図５は、本実施形態の太陽電池モジュール５１の平面図を示す。太陽電池モジュール５１は、太陽電池セル５３と基板５５とを有する。また、太陽電池モジュール５１は、カレンダー孔を有する。カレンダー孔とは、時刻表示装置１１の一部が日車や曜車などのカレンダーを有した場合、ユーザーがカレンダーを視認できるように設けた孔である。このとき、太陽電池セル５３の一部及び基板５５の一部にそれぞれ太陽電池セルカレンダー孔５３ｈと基板カレンダー孔５５ｈを有する。また、太陽電池モジュール５１を平面視したときに、基板カレンダー孔５５ｈは、基板外縁５５ｏと太陽電池セルカレンダー孔５３ｈとの間に位置するように設けられる。この構成により、太陽電池モジュール５１を平面視したときに基板カレンダー孔５５ｈが視認され難くなる。また、太陽電池モジュール５１を電子時計１に搭載し、電子時計１を平面視したときにも、基板カレンダー孔５５ｈが視認され難い。
【００４０】
３．実施形態３
実施形態３について説明する。なお、上述の実施形態との相違点を主に説明し、説明が上述の実施形態と同一である場合は、ここでの説明は省略することもある。なお、Ｘ軸、Ｙ軸、Ｚ軸、＋Ｘ方向、−Ｘ方向、＋Ｙ方向、−Ｙ方向、＋Ｚ方向、−Ｚ方向、平面視、Ｘ−Ｚ平面の定義については、上述の実施形態と同様とし、本実施形態での説明は省略する。
【００４１】
図６は、本実施形態の太陽電池モジュール６１の平面図を示す。太陽電池モジュール６１は、太陽電池セル６３と、基板６５とを有する。太陽電池セル６３は、上述の実施形態とは異なり、複数の太陽電池セルに分割されている。例えば、太陽電池セル６３は、第１の太陽電池セル６３ａ，第２の太陽電池セル６３ｂ，第３の太陽電池セル６３ｃ，第４の太陽電池セル６３ｄに分割されている。
【００４２】
図６に示すように、隣り合う太陽電池セル６３の間、例えば第１の太陽電池セル６３ａと隣り合う第２の太陽電池セル６３ｂとの間は、間隙ｄを有して配置されることが好ましい。間隙を有して配置されることで、隣り合う第１の太陽電池セル６３ａ及び第２の太陽電池セル６３ｂ同士が接触することを防止することができ、太陽電池セル６３の欠陥を防止することが可能となる。間隙ｄが小さすぎると隣り合う太陽電池セル６３が接触する可能性が大きくなり、間隙ｄが大きすぎると基板６５が視認されやすくなる。これを防ぐために、間隙ｄは、２０μｍ以上１８０μｍ以下であることが好ましい。間隙ｄが２０μｍより小さい場合、隣り合う太陽電池セル６３が接触し、太陽電池セル６３が割れや欠陥を生じる可能性が高くなる。また、間隙ｄが１８０μｍより大きい場合、間隙ｄから基板６５が視認されやすくなり、外観を損なう。
【００４３】
ここで、太陽電池セル６３の重心ＧＳを通り、Ｙ軸に沿う軸を１２−６軸、Ｘ軸に沿う軸を３−９軸とする。図６に示すように、第１の太陽電池セル６３ａ、第４の太陽電池セル６３ｄは、３−９軸について第２の太陽電池セル６３ｂ、第３の太陽電池セル６３ｃとそれぞれ線対称な位置に配置されている。なお、請求項に記述される軸とは３−９軸を言う。
【００４４】
また、図６に示すように、第１の太陽電池セル６３ａ、第２の太陽電池セル６３ｂは、１２−６軸について第４の太陽電池セル６３ｄ、第３の太陽電池セル６３ｃとそれぞれ線対称な位置に配置されている。
【００４５】
このように、分割された複数の太陽電池セル６３は、３−９軸について線対称な位置に配置されることが好ましい。または、分割された複数の太陽電池セル６３は、１２−６軸について線対称な位置に配置されることが好ましい。これにより、複数の太陽電池セル６３はバランスよく配置され、また、外観もよい。本実施形態には、太陽電池セル６３が４個に分割された例を示しているが、これに限らない。例えば、太陽電池セル６３は、奇数個の３個に分割されていても良いし、偶数個の６個や１２個に分割されていてもよい。これらの場合も同様に、３−９軸について、または、１２−６軸について線対称となるように配置されることが好ましい。
【００４６】
また、複数に分割された複数の太陽電池セル６３は、受光面の面積がそれぞれ等しいことが好ましい。この場合、複数の太陽電池セル６３の発電できる電流が等しくなる。複数に分割されたそれぞれの太陽電池セル６３の電流が異なると、それぞれの太陽電池セル６３を電気的に直列接続した場合、最も低い電流を基準とし、その基準を超える電流を損失してしまう場合がある。複数の分割されたそれぞれの太陽電池セル６３の電流が等しい場合、このような課題を生じることなく、発電によって得られた電流が効率よく使用されることが可能となる。
【００４７】
複数に分割された各太陽電池セル６３は、外形がそれぞれ等しい形状であることが好ましい。この場合、各太陽電池セル６３はバランスよく配置され、また、外観も良い。
【００４８】
複数に分割された複数の太陽電池セル６３のうち少なくとも２つが電気的に直列に接続されていることが好ましい。この場合、二次電池２３に供給される電力の電圧が大きくなる。特に、３−９軸について線対称な位置に配置された２つの太陽電池セル６３、例えば、第１の太陽電池セル６３ａと第２の太陽電池セル６３ｂとが、電気的に直列に接続されていることが好ましい。この場合、二次電池２３に供給される電力の電圧が大きく保たれる。
【００４９】
また、３−９軸について線対称な位置に配置された２つの太陽電池セル６３同士が電気的に直列に接続された組が２組以上あり、さらに、それらの組が電気的に並列に接続されていることが好ましい。例えば、第１の太陽電池セル６３ａ及び第２の太陽電池セル６３ｂがそれぞれ、第４の太陽電池セル６３ｄ及び第３の太陽電池セル６３ｃと電気的に並列に接続されていることが好ましい。この場合、太陽電池モジュール６１を搭載した電子時計１がユーザーの手首に装着され、ユーザーが着用している衣服の袖に電子時計１の一部が隠れたとしても、効率よく安定して発電が可能である。例えば、ユーザーが着用している衣服の袖に電子時計１の１２−６軸より９時側が隠れ、第３の太陽電池セル６３ｃ及び第４の太陽電池セル６３ｄが発電不可能となった場合を考える。このとき、第１の太陽電池セル６３ａ及び第２の太陽電池セル６３ｂは、それぞれ、第４の太陽電池セル６３ｄ及び第３の太陽電池セル６３ｃと電気的に並列に接続されている。そのため、第１の太陽電池セル６３ａ及び第２の太陽電池セル６３ｂにおいて発電し得られる電力は、損失されることなく取り出される。
【００５０】
基板６５は、正極配線６５ｐ、負極配線６５ｎ、接続配線６５ｃ及び被覆層を有する。ここで、基板６５における正極配線６５ｐ、負極配線６５ｎ、接続配線６５ｃのレイアウトの例を図７に示す。例えば、第１の太陽電池セル６３ａと第２の太陽電池セル６３ｂとが電気的に直列に接続され、第１の太陽電池セル６３ａと第４の太陽電池セル６３ｄとが電気的に並列に接続され、第２の太陽電池セル６３ｂと第３の太陽電池セル６３ｃとが電気的に並列に接続されるための、正極配線６５ｐ及び負極配線６５ｎの一例を示す基板６５の平面図である。なお、図７においては、被覆層の図示は省略しており、第１の太陽電池セル６３ａ、第２の太陽電池セル６３ｂ、第３の太陽電池セル６３ｃ、第４の太陽電池セル６３ｄは、点線にて示されている。
【００５１】
基板６５は、基板外縁６５ｏ及び基板内縁６５ｉを有し、円環状の外形を有する。すなわち、基板内縁６５ｉは、基板外縁６５ｏに沿っている。正極配線６５ｐは、基板内縁６５ｉに沿って配置され、負極配線６５ｎは、正極配線６５ｐに沿って、正極配線６５ｐより外側に配置されている。正極配線６５ｐは、３−９軸より１２時側に配置された１２時側正極配線６５ｐｕと、３−９軸より６時側に配置された６時側正極配線６５ｐｄとを有する。また、負極配線６５ｎは、３−９軸より１２時側に配置された１２時側負極配線６５ｎｕと、３−９軸より６時側に配置された６時側負極配線６５ｎｄとを有する。１２時側負極配線６５ｎｕと、６時側正極配線６５ｐｄとは、基板６５の３時位置に配置された接続配線６５ｃにより電気的に接続されている。また、図示はしないが、１２時側正極配線６５ｐｕは、第２の太陽電池セル６３ｂの正電極および第３の太陽電池セル６３ｃの正電極と電気的に接続されている。１２時側負極配線６５ｎｕは、第２の太陽電池セル６３ｂの負電極および第３の太陽電池セル６３ｃの負電極と電気的に接続されている。６時側正極配線６５ｐｄは、第１の太陽電池セル６３ａの正電極および第４の太陽電池セル６３ｄの正電極と電気的に接続されている。６時側負極配線６５ｎｄは、第１の太陽電池セル６３ａの負電極および第４の太陽電池セル６３ｄの負電極と電気的に接続されている。よって、第１の太陽電池セル６３ａは、第４の太陽電池セル６３ｄと並列に電気的に接続され、第２の太陽電池セル６３ｂは、第３の太陽電池セル６３ｃと並列に電気的に接続される。また、第１の太陽電池セル６３ａは、第２の太陽電池セル６３ｂと直列に電気的に接続される。基板６５は、タブ２５と電気的に接続されている。タブ２５には、１２時側正極配線６５ｐｕから正極が、６時側負極配線６５ｎｄから負極が、それぞれ引き出されている。
【００５２】
４．実施形態４
実施形態４について説明する。なお、上述の実施形態との相違点を主に説明し、上述の実施形態との説明が同一である場合は、ここでの説明は省略することもある。なお、＋Ｘ方向、−Ｘ方向、＋Ｙ方向、−Ｙ方向、＋Ｚ方向、−Ｚ方向、平面視、Ｘ−Ｚ平面、３−９軸、１２−６軸の定義については、上述の実施形態と同様とし、本実施形態での説明は省略する。
【００５３】
４．１．電子時計
本実施形態に係る電子時計１０１について説明する。図８は、本実施形態に係る電子時計１０１の平面図を、図９は、本実施形態に係る電子時計１０１の断面図をそれぞれ示している。
【００５４】
電子時計１０１は、図８に示すように、時計ケース３、時計バンド５ａ及び５ｂ、ガラス７、ベゼル９、時刻表示装置１１、文字板２７、ダイヤルリング３１、指針２９、カレンダー３０を備える。また、図９に示すように、電子時計１０１はさらに、回路基板１５、回路押さえ１７、二次電池２３、ムーブメント３３、指針軸３５、太陽電池モジュール７１を備える。時刻表示装置１１は、文字板２７、ダイヤルリング３１、指針２９、ムーブメント３３を備える。太陽電池モジュール７１は、太陽電池セル７３、基板７５、タブ２５を備える。
【００５５】
時計ケース３は、時計ケース３の底壁を形成する時計ケース底壁３ａと、時計ケース３の側壁を形成する時計ケース側壁３ｂとを有する。本実施形態には、時計ケース底壁３ａと時計ケース側壁３ｂとが別体に形成された、時計ケース底壁３ａがいわゆる裏蓋である構成を示しているが、時計ケース底壁３ａと時計ケース側壁３ｂとが一体に形成された、いわゆるワンピースケースの構造の時計ケースであっても良い。
【００５６】
指針２９は、ムーブメント３３により駆動され、文字板２７やダイヤルリング３１などに設けられた数字、目盛などを指し示し、ユーザーへ時刻を伝える。指針２９は、指針軸３５に取り付けられており、指針軸３５を介してムーブメント３３から動力が伝えられる。
【００５７】
太陽電池モジュール７１は、太陽電池セル７３と基板７５とを備える。基板７５は、太陽電池セル７３と電気的に接続されている。また、基板７５は、タブ２５により、回路基板１５と電気的に接続されている。回路基板１５は、二次電池２３と電気的に接続している。すなわち、太陽電池セル７３で発電して取り出した電力を、二次電池２３に蓄えることが可能となる構成をとっている。また、時刻表示装置１１は、二次電池２３に蓄えられた電力により駆動される。タブ２５には、基板７５と一体に形成されたもの、別体として形成されたもののどちらを採用してもよい。
【００５８】
電子時計１０１を平面視すると、太陽電池モジュール７１は、ユーザーから視認されない。図９のように、電子時計１０１のＸ−Ｚ面を断面視すると、−Ｚ方向から＋Ｚ方向に向かって、時計ケース底壁３ａ、二次電池２３、回路基板１５、基板７５、太陽電池セル７３、文字板２７、ガラス７が順に配置されている。言い換えると、時計ケース底壁３ａからガラス７の方向へ、時計ケース底壁３ａ、二次電池２３、回路基板１５、基板７５、太陽電池セル７３、文字板２７、ガラス７が順に配置されている。すなわち、電子時計１０１を平面視した場合、太陽電池モジュール７１は文字板２７に隠れており、視認されない。なお、太陽電池セル７３は、太陽電池セル７３の受光面である太陽電池セル主面７３Ｓに光が入射することで光電変換を行い、発電が可能となる。よって、文字板２７は、透光性を有する必要がある。
【００５９】
文字板２７、太陽電池モジュール７１を構成する太陽電池セル７３及び基板７５が円形状であり、ベゼル９が円環状である例を示しているがこれに限定されない。例えば、文字板２７、太陽電池モジュール７１を構成する太陽電池セル７３及び基板７５が矩形状、ベゼル９が矩形状の外縁と矩形状の内縁とを有する矩形環状であってもよい。
【００６０】
４．２．太陽電池モジュール
次に、本実施形態に係る太陽電池モジュール７１について説明する。図１０は、本実施形態に係る太陽電池モジュール７１の平面図を示している。
【００６１】
図１０に示すように、太陽電池モジュール７１は、太陽電池セル７３と基板７５とを有する。太陽電池セル７３は、太陽電池セル７３の受光面により太陽光や室内光等の光を受けて、光エネルギーを電気エネルギーとする光電変換をし、正電極、負電極（いずれも図示省略）より電気を取り出すことで発電が可能となる。なお、前述の太陽電池セル主面７３Ｓは、太陽電池セル７３の受光面である。太陽電池セル７３は、単結晶シリコンを含む半導体基板を有して形成されている。単結晶シリコンを含む半導体基板を有する太陽電池セル７３は、アモルファスシリコンからなる半導体基板を有する太陽電池セルと比較して、発電効率が高い。
【００６２】
基板７５は、太陽電池セル７３を支持するように設けられる。言い換えると、−Ｚ方向から＋Ｚ方向に向かって、基板７５、太陽電池セル７３の順に設けられる。単結晶シリコンを有する半導体基板は、＜１１１＞面にへき開性を有するため、衝撃を受けると割れる可能性がある。しかし、基板７５が太陽電池セル７３を支持することで、太陽電池セル７３が衝撃により割れたり、欠陥を生じたりすることを防止することができる。
【００６３】
太陽電池セル７３は、太陽電池セル外縁７３ｏを有し、基板７５は、基板外縁７５ｏを有する。基板外縁７５ｏは、太陽電池セル外縁７３ｏより外側に位置することが好ましい。このとき、図９のように、基板外縁７５ｏは、時計ケース側壁３ｂに接触して設けられるので、太陽電池モジュール７１を搭載した電子時計１０１を平面視したときに、基板外縁７５ｏは、時計ケース側壁３ｂと太陽電池セル外縁７３ｏとの間に位置するように設けられる。単結晶シリコンは、＜１１１＞面にへき開性を有するため、衝撃を受けると割れる可能性がある。すなわち、単結晶シリコンを含む半導体基板を有して形成された太陽電池セル７３は、他部材との接触により割れや欠陥を生じる可能性がある。これに対し、本実施形態の太陽電池モジュール７１は、基板外縁７５ｏが時計ケース側壁３ｂと太陽電池セル外縁７３ｏとの間に位置するように設けられている。そのため、太陽電池セル７３が時計ケース３に接触することが防止され、太陽電池セル７３が欠陥を生じる可能性の少ない電子時計１０１を得ることが可能となる。例えば、電子時計１０１の製造工程において、時計ケース３に太陽電池モジュール７１を組み込む際に、太陽電池セル７３が時計ケース３に接触することを防止することが可能となる。さらに、電子時計１０１が落下したり壁へ衝突したりすることにより時計ケース３が変形したとしても、太陽電池セル７３が時計ケース３に接触することを防止することもできる。
【００６４】
また、図１０に示すように、電子時計１０１を平面視したときに、基板内縁７５ｉは、時計ケース側壁３ｂと太陽電池セル内縁７３ｉとの間に位置するように設けられる。これにより、電子時計１０１を平面視したときに基板７５が視認され難くなる。また、指針軸３５は、太陽電池セル内縁７３ｉ及び基板内縁７５ｉの内側に設けられ、すなわち、指針軸３５は、太陽電池モジュール７１を貫通して設けられている。
【００６５】
図８から図１０に示すように、文字板２７がカレンダー孔２７ｈを有する構成である場合は、太陽電池セル７３の一部及び基板７５の一部にそれぞれ太陽電池セルカレンダー孔７３ｈと基板カレンダー孔７５ｈを有する。また、電子時計１０１を平面視したときに、基板カレンダー孔７５ｈは、時計ケース側壁３ｂと太陽電池セルカレンダー孔７３ｈとの間に位置するように設けられる。これにより、太陽電池モジュール７１を搭載した電子時計１０１を平面視したときに、基板７５が視認され難くなる。
【００６６】
５．実施形態５
実施形態５について説明する。なお、上述の実施形態との相違点を主に説明し、上述の実施形態との説明が同一である場合は、ここでの説明は省略することもある。なお、Ｘ軸、Ｙ軸、Ｚ軸、＋Ｘ方向、−Ｘ方向、＋Ｙ方向、−Ｙ方向、＋Ｚ方向、−Ｚ方向、平面視、Ｘ−Ｚ平面の定義については、上述の実施形態と同様とし、本実施形態での説明は省略する。
【００６７】
図１１は、本実施形態の太陽電池モジュール８１の平面図を示す。太陽電池モジュール８１は、太陽電池セル８３と、基板８５とを有する。太陽電池セル８３は、上述の実施形態４とは異なり、複数の太陽電池セルに分割されている。例えば、太陽電池セル８３は、第１の太陽電池セル８３ａ，第２の太陽電池セル８３ｂ，第３の太陽電池セル８３ｃ，第４の太陽電池セル８３ｄに分割されている。
【００６８】
図１１に示すように、隣り合う太陽電池セル８３の間、例えば第１の太陽電池セル８３ａと隣り合う第２の太陽電池セル８３ｂとの間は、間隙ｄを有して配置されることが好ましい。間隙を有して配置されることで、隣り合う第１の太陽電池セル８３ａ及び第２の太陽電池セル８３ｂ同士が接触することを防止することができ、太陽電池セル８３の欠陥を防止することが可能となる。間隙ｄが小さすぎると隣り合う太陽電池セル８３が接触する可能性が大きくなり、間隙ｄが大きすぎると基板８５が視認されやすくなる。これを防ぐために、間隙ｄは、２０μｍ以上１８０μｍ以下であることが好ましい。間隙ｄが２０μｍより小さい場合、隣り合う太陽電池セル８３が接触し、太陽電池セル８３が割れや欠陥を生じる可能性が高くなる。また、間隙ｄが１８０μｍより大きい場合、間隙ｄから基板８５が視認されやすくなり、外観を損なう。
【００６９】
図１１に示すように、第１の太陽電池セル８３ａ、第４の太陽電池セル８３ｄは、３−９軸について第２の太陽電池セル８３ｂ、第３の太陽電池セル８３ｃとそれぞれ線対称な位置に配置されている。
【００７０】
また、図１１に示すように、第１の太陽電池セル８３ａ、第２の太陽電池セル８３ｂは、１２−６軸について第４の太陽電池セル８３ｄ、第３の太陽電池セル８３ｃとそれぞれ線対称な位置に配置されている。
【００７１】
このように、分割された複数の太陽電池セル８３は、３−９軸について線対称な位置に配置されることが好ましい。または、分割された複数の太陽電池セル８３は、１２−６軸について線対称な位置に配置されることが好ましい。これにより、複数の太陽電池セル８３はバランスよく配置され、また、外観もよい。本実施形態には、太陽電池セル８３が４個に分割された例を示しているが、これに限らない。例えば、太陽電池セル８３は、奇数個の３個に分割されていても良いし、偶数個の６個や１２個に分割されていてもよい。これらの場合も同様に、３−９軸について、または、１２−６軸について線対称となるように配置されることが好ましい。
【００７２】
また、複数に分割された複数の太陽電池セル８３は、受光面の面積がそれぞれ等しいことが好ましい。この場合、複数の太陽電池セル８３の発電できる電流が等しくなる。複数に分割されたそれぞれの太陽電池セル８３の電流が異なると、それぞれの太陽電池セル８３を電気的に直列接続した場合、最も低い電流を基準とし、その基準を超える電流を損失してしまう場合がある。複数の分割されたそれぞれの太陽電池セル８３の電流が等しい場合、このような課題を生じることなく、発電によって得られた電流が効率よく使用されることが可能となる。
【００７３】
複数に分割された各太陽電池セル８３は、外形がそれぞれ等しい形状であることが好ましい。この場合、各太陽電池セル８３はバランスよく配置され、また、外観も良い。
【００７４】
複数に分割された複数の太陽電池セル８３のうち少なくとも２つが電気的に直列に接続されていることが好ましい。この場合、二次電池２３に供給される電力の電圧が大きくなる。特に、３−９軸について線対称な位置に配置された２つの太陽電池セル８３、例えば、第１の太陽電池セル８３ａと第２の太陽電池セル８３ｂとが、直列に接続されていることが好ましい。この場合、二次電池２３に供給される電力の電圧が大きく保たれる。
【００７５】
また、３−９軸について線対称な位置に配置された２つの太陽電池セル８３同士が電気的に直列に接続された組が２組以上あり、さらに、それらの組が電気的に並列に接続されていることが好ましい。例えば、第１の太陽電池セル８３ａ及び第２の太陽電池セル８３ｂがそれぞれ、第４の太陽電池セル８３ｄ及び第３の太陽電池セル８３ｃと電気的に並列に接続されていることが好ましい。この場合、太陽電池モジュール８１を搭載した電子時計１０１がユーザーの手首に装着され、ユーザーが着用している衣服の袖に電子時計１０１の一部が隠れたとしても、効率よく安定して発電が可能である。例えば、ユーザーが着用している衣服の袖に電子時計１０１の１２−６軸より９時側が隠れ、第３の太陽電池セル８３ｃ及び第４の太陽電池セル８３ｄが発電不可能となった場合を考える。このとき、第１の太陽電池セル８３ａ及び第２の太陽電池セル８３ｂは、それぞれ、第４の太陽電池セル８３ｄ及び第３の太陽電池セル８３ｃと電気的に並列に接続されている。そのため、第１の太陽電池セル８３ａ及び第２の太陽電池セル８３ｂにおいて発電し得られる電力は、損失されることなく取り出される。また、第１の太陽電池セル８３ａは、第２の太陽電池セル８３ｂと、電気的に直列に接続されているため、効率よく電気が取り出される。
【００７６】
太陽電池セル８３は、太陽電池セル外縁８３ｏを有し、基板８５は、基板外縁８５ｏを有する。基板外縁８５ｏは、太陽電池セル外縁８３ｏより外側に位置することが好ましい。太陽電池モジュール８１が電子時計１０１に搭載されるとき、基板外縁８５ｏは、時計ケース側壁３ｂに接触して設けられる。そのため、太陽電池モジュール８１を搭載した電子時計１０１を平面視したときに、基板外縁８５ｏは、時計ケース側壁３ｂと太陽電池セル外縁８３ｏとの間に位置するように設けられる。
【００７７】
単結晶シリコンは、＜１１１＞面にへき開性を有するため、衝撃を受けると割れる可能性がある。すなわち、単結晶シリコンを含む半導体基板を有して形成された太陽電池セル８３は、他部材との接触により割れや欠陥を生じる可能性がある。これに対し、本実施形態の太陽電池モジュール８１は、基板外縁８５ｏが時計ケース側壁３ｂと太陽電池セル外縁８３ｏとの間に位置するように設けられている。そのため、太陽電池セル８３が時計ケース３に接触することが防止され、太陽電池セル８３が欠陥を生じる可能性の少ない電子時計１０１を得ることが可能となる。例えば、電子時計１０１の製造工程において、時計ケース３に太陽電池モジュール８１を組み込む際に、太陽電池セル８３が時計ケース３に接触することを防止することが可能となる。さらに、電子時計１０１が落下したり壁へ衝突したりすることにより時計ケース３が変形したとしても、太陽電池セル８３が時計ケース３に接触することを防止することもできる。
【００７８】
また、図１１に示すように、電子時計１０１を平面視したときに、基板内縁８５ｉは、時計ケース側壁３ｂと太陽電池セル内縁８３ｉとの間に位置するように設けられる。これにより、電子時計１０１を平面視したときに基板８５が視認され難くなる。また、指針軸３５は、太陽電池セル内縁８３ｉ及び基板内縁８５ｉの内側に設けられ、すなわち、指針軸３５は、太陽電池モジュール８１を貫通して設けられている。
【００７９】
６．変形例
６．１．変形例１
上述の実施形態においては、電子時計を平面視した場合にユーザーに視認される基板が、黒色を呈する被覆層を有することで、太陽電池セルと基板との色の識別をされ難くする構成を示したが、これに限らない。例えば、図１２は、目隠し３９を有するガラス７０１の平面図を、図１３は、目隠し３９を有するガラス７０１の断面図を示す。図１２、図１３に示すように、ガラス７０１の主面のうち時計ケース３の内部に臨む主面のガラス主面７０１ｂに目隠し３９を設ける。目隠し３９は、ガラス主面７０１ｂに接着材により貼付されてもよく、または、印刷等で塗布されても良い。目隠し３９により、複数に分割された太陽電池セルのうち隣り合う太陽電池セルの間隙から覗く基板や、基板の外縁が目立ちにくくなる。また、目隠し３９の色や形状を工夫することにより、電子時計のデザイン性を向上することも可能である。
【００８０】
６．２．変形例２
上述の実施形態及び変形例の電子時計は、例えば加速度センサー、気圧センサー、方位センサー、脈センサー、血圧計などのセンサーや装置のうち、一つ、または複数を搭載して検出や計測を行なってもよい。また、それらの検出や計測の結果を時刻表示装置が表示してもよい。この場合、消費電力が大きくなることが考えられる。しかし、電子時計は、上述の太陽電池モジュールを搭載しており、太陽電池セルにより発電し取り出した電力を蓄えることが可能な二次電池を有している。これにより、太陽電池モジュールを有さない場合や、二次電池を有さず一次電池のみを搭載する場合と比較し、消費電力の増大分も賄うことが可能となる。また、太陽電池セルが、単結晶シリコンを含む半導体基板を有して形成されているので、発電効率が高く、消費電力の増大分を賄うことが可能である。
【００８１】
６．３．変形例３
上述の実施形態及び変形例では、太陽電池セルの重心から太陽電池セルの外縁を見る方向で、太陽電池セルが１つずつの場合を示したが、２重以上となっていても良い。図１４は、本変形例に係る太陽電池モジュールの平面図である。図１４には、太陽電池セル９３、基板９５、タブ２５を備える太陽電池モジュール９１を示す。太陽電池セル９３の重心ＧＳから太陽電池セルの外縁である太陽電池セル外縁９３ｏを見る方向で太陽電池セル９３が２つ（２重）となっている。この場合も、太陽電池セル９３は複数に分割されていても良い。
【００８２】
以下に、上記実施形態及び変形例から導き出される内容を記載する。
【００８３】
本願の電子時計は、ケースと、単結晶シリコンを含む半導体基板を有し、主面を有する太陽電池セル、および、太陽電池セルと電気的に接続され、主面を平面視したときに太陽電池セルの太陽電池セル外縁とケースの側壁との間に基板外縁を有する基板を備え、ケースの内部に設けられた太陽電池モジュールと、を備えることを特徴とする。
【００８４】
これにより、単結晶シリコンを含む半導体基板を有する太陽電池セルであっても、基板により支持されていることから太陽電池セルは割れにくく、太陽電池セルの欠陥を防ぐことができる。また、基板外縁が太陽電池セル外縁とケースの側壁との間にあることから、太陽電池セルがケースに接触することを防ぐことができ、太陽電池セルの欠陥を防ぐことができる。
【００８５】
上記に記載の電子時計において、太陽電池セルは、太陽電池セル内縁を有し、基板は、基板内縁を有し、主面を平面視したときに、基板内縁は、ケースの側壁と太陽電池セル内縁との間に位置することが好ましい。
【００８６】
これにより、主面を平面視したときに基板内縁が視認されない電子時計を提供できる。
【００８７】
上記に記載の電子時計は、複数の太陽電池セルを有し、隣り合う太陽電池セルは、間隙を有して配置されることが好ましい。
【００８８】
これにより、隣り合う太陽電池セル同士が接触することにより太陽電池セルが割れることを防ぎ、太陽電池セルの欠陥を防ぐことができる。
【００８９】
上記に記載の電子時計は、基板は、太陽電池セルに対向する面に黒色を呈した被覆層を備えることが好ましい。
【００９０】
これにより、隣り合う太陽電池セルの間の間隙から視認される基板が目立ちにくい電子時計を提供できる。
【００９１】
上記に記載の電子時計は、複数の目盛を有する、文字板またはダイヤルリングと、複数の太陽電池セルと、を備え、複数の太陽電池セルは、ケースの３時位置とケースの９時位置とを結ぶ軸について線対称に配置され、間隙は目盛と対応して配置されることが好ましい。
【００９２】
これにより、太陽電池セルがバランスよく配置された電子時計を提供できる。
【００９３】
上記に記載の電子時計は、複数の太陽電池セルは、第１の太陽電池セルと、軸について第１の太陽電池セルと線対称である位置に配置された第２の太陽電池セルと、を含み、第１の太陽電池セルと第２の太陽電池セルとは、電気的に直列に接続されていることが好ましい。
【００９４】
これにより、起電力の電圧を大きく保ちつつ、さらに、電子時計がユーザーの手首に装着され、ユーザーが着用している衣服の袖に電子時計の一部が隠れたとしても、効率よく発電が可能である。
【００９５】
上記に記載の電子時計において、複数の太陽電池セルは、第３の太陽電池セルと、対称軸について第３の太陽電池セルと線対称である位置に配置された第４の太陽電池セルとを含み、第３の太陽電池セルと第４の太陽電池セルとは、電気的に直列に接続されており、第１の太陽電池セルと第３の太陽電池セルとは、電気的に並列に接続されていることが好ましい。
【００９６】
これにより、起電力の電圧を大きく保ちつつ、さらに、電子時計がユーザーの手首に装着され、ユーザーが着用している衣服の袖に電子時計の一部が隠れたとしても、効率よく安定して発電が可能である。
【００９７】
本願の太陽電池モジュールは、単結晶シリコンを含む半導体基板を有し、主面を有する太陽電池セル、および、太陽電池セルと電気的に接続され、主面を平面視したときに太陽電池セルの太陽電池セル外縁とケースの側壁との間に基板外縁を有する基板を備えることを特徴とする。
【００９８】
これにより、太陽電池セルの欠陥を防ぐことのできる太陽電池モジュールを提供できる。
【符号の説明】
【００９９】
１…電子時計、３…時計ケース（ケース）、３ａ…時計ケース底壁、３ｂ…時計ケース側壁、５ａ，５ｂ…時計バンド、７…ガラス、７ａ…ガラス主面、９…ベゼル、１１…時刻表示装置、１３…照明、１５…回路基板、１７…回路押さえ、１９…ＣＰＵ、２１…回路素子、２３…二次電池、２５…タブ、２７…文字板、２９…指針、３０…カレンダー、３１…ダイヤルリング、３３…ムーブメント、３５…指針軸、３７…接着材、３９…目隠し、４１…太陽電池モジュール、４３…太陽電池セル、４３ｉ…太陽電池セル内縁、４３ｎ…負電極、４３ｏ…太陽電池セル外縁、４３ｐ…正電極、４３Ｓ…太陽電池セル主面、４５…基板、４５ｉ…基板内縁、４５Ｌ…被覆層、４５ｎ…負極配線、４５ｏ…基板外縁、４５ｐ…正極配線、５１…太陽電池モジュール、５３…太陽電池セル、５３ｈ…太陽電池セルカレンダー孔、５５…基板、５５ｈ…基板カレンダー孔、６１…太陽電池モジュール、６３…太陽電池セル、６３ａ…第１の太陽電池セル、６３ｂ…第２の太陽電池セル、６３ｃ…第３の太陽電池セル、６３ｄ…第４の太陽電池セル、６５…基板、６５ｃ…接続配線、６５ｉ…基板内縁、６５ｎｄ…６時側負極配線、６５ｎｕ…１２時側負極配線、６５ｏ…基板外縁、６５ｐｄ…６時側正極配線、６５ｐｕ…１２時側正極配線、７１…太陽電池モジュール、７３…太陽電池セル、７３ｉ…太陽電池セル内縁、７３ｈ…太陽電池セルカレンダー孔、７３ｏ…太陽電池セル外縁、７５…基板、７５ｉ…基板内縁、７５ｈ…基板カレンダー孔、７５ｏ…基板外縁、８１…太陽電池モジュール、８３…太陽電池セル、８３ａ…第１の太陽電池セル、８３ｂ…第２の太陽電池セル、８３ｃ…第３の太陽電池セル、８３ｄ…第４の太陽電池セル、８３ｉ…太陽電池セル内縁、８３ｏ…太陽電池セル外縁、８５…基板、８５ｉ…基板内縁、８５ｏ…基板外縁、９１…太陽電池モジュール、９３…太陽電池セル、９５…基板、１０１…電子時計、７０１…ガラス、７０１ｂ…ガラス主面、ｄ…間隙、ＧＳ…重心。
【図１】
2020159706.tif 000003
【図２】
2020159706.tif 000004
【図３】
2020159706.tif 000005
【図４】
2020159706.tif 000006
【図５】
2020159706.tif 000007
【図６】
2020159706.tif 000008
【図７】
2020159706.tif 000009
【図８】
2020159706.tif 000010
【図９】
2020159706.tif 000011
【図１０】
2020159706.tif 000012
【図１１】
2020159706.tif 000013
【図１２】
2020159706.tif 000014
【図１３】
2020159706.tif 000015
【図１４】
2020159706.tif 000016